(57)【要約】【課題】  伴奏を伴う上演の撮影タイミングを撮影者に効果的に認識させる。【解決手段】  通信装置１０４により、所定のスケジュールに基づき実行される上演の、伴奏音声データ及び撮影タイミング情報を含む参照データを外部から取得する。マイク１０３は、上演の際の音声を入力する。周辺装置制御／処理部１０９のデジタル信号処理回路が、マイク１０３の入力音声データと参照データに含まれる伴奏音声データを比較する。両音声データが一致すると、ＣＰＵ１１４が画像表示制御部１０７を制御して、画像表示部１０６に上演の進行度及び前記１以上の撮影タイミングを時間軸上に示すタイムスケジュールを表示させる。【選択図】  図１
2019029942.tif 000002
【特許請求の範囲】
【請求項１】
所定のスケジュールに基づき実行される上演に含まれる１以上の撮影タイミングでの撮影を支援する撮像支援装置であって、
前記上演の際の音声を入力する音声入力手段と、
前記上演の伴奏音声データを含む参照データを外部から取得する通信手段と、
前記音声入力手段により入力される音声を前記伴奏音声データと比較する比較手段と、
前記比較手段の比較結果に従い、前記上演の進行度及び前記１以上の撮影タイミングを時間軸上に示すタイムスケジュールを表示する表示手段
とを有することを特徴とする撮像支援装置。
【請求項２】
前記表示手段は、時間の経過に応じて、前記タイムスケジュールの前記進行度を前記時間軸上で更新することを特徴とする請求項１に記載の撮像支援装置。
【請求項３】
前記参照データは、前記上演に関する、スケジュール情報及びプログラム情報を有する請求項１または２に記載の撮像支援装置。
【請求項４】
前記表示手段は、前記上演の被写体画像と共に前記タイムスケジュールを表示することを特徴とする請求項１から３のいずれか１項に記載の撮像支援装置。
【請求項５】
前記タイムスケジュールは、前記撮影タイミングの内、現在から直後のものまでの残時間の表示を含むことを特徴とする請求項１から４のいずれか１項に記載の撮像支援装置。
【請求項６】
前記表示手段による前記タイムスケジュールの表示を、前記上演の最初から最後までを含む全体表示と、一部を拡大表示する部分拡大表示とに切り替えできることを特徴とする請求項１から５のいずれか１項に記載の撮像支援装置。
【請求項７】
請求項１から６のいずれか１項に記載される撮像支援装置を有することを特徴とする撮像装置。
【請求項８】
請求項１に記載される撮像支援装置の前記音声入力手段、前記通信手段及び前記表示手段を有する撮像装置であって、
前記比較手段の前記比較結果を前記通信手段により外部から取得する
ことを特徴とする撮像装置。
【請求項９】
通信端末であって、
請求項１に記載される撮像支援装置と、
撮像手段と、
前記撮像手段による撮像を指示する操作手段と、
前記撮像手段により撮像された画像を記録媒体に記録する記録手段
とを有することを特徴とする通信端末。
【請求項１０】
所定のスケジュールに基づき実行される上演に含まれる１以上の撮影タイミングでの撮影を支援する制御方法であって、
前記上演の伴奏音声データを含む参照データを外部から取得する通信ステップと、
音声入力手段により入力される前記上演の際の音声を前記伴奏音声データと比較する比較ステップと、
前記比較ステップの比較結果に従い、前記上演の進行度及び前記１以上の撮影タイミングを時間軸上に示すタイムスケジュールを表示部に表示するステップ
とを有することを特徴とする撮像支援制御方法。
【発明の詳細な説明】
【技術分野】
【０００１】
本発明は、撮像支援装置、撮像装置、通信端末及び撮像支援制御方法に関し、より具体的には、一定のスケジュール又はプログラムに基づく演技の撮影タイミングを撮影者に通知する撮像支援装置、撮像装置、通信端末及び撮像支援制御方法に関する。
【背景技術】
【０００２】
従来、スケジュールやブログラムを事前にユーザに通知する機能を備える撮像装置が知られている。特許文献１には、人または特定場所に設置したＩＣタグに撮像装置が近づくと、撮像装置がそのＩＣタグから設置位置またはプログラム開始予定時刻等を読み込み、撮影者に通知する技術が開示されている。特許文献２には、撮影者に対して、スケジュールを事前に通知し、撮影を促す技術が開示されている。
【先行技術文献】
【特許文献】
【０００３】
【特許文献１】特開２００３−２８９２６５公報
【特許文献２】特開２００８−０６１１９５公報
【発明の概要】
【発明が解決しようとする課題】
【０００４】
特許文献１，２に記載のいずれの技術も、シャッタチャンスという意味での撮影タイミングをリアルタイムにユーザに通知するものではない。またスケジュールやプログラムを開始前に通知するが、スケジュールやプログラムの突発的な変更に対応できない。しかも、従来技術ではプログラム開始の同期を取ることが難しく、プログラム内にある撮影タイミングの正確な時間は通知できない。
【０００５】
スポーツなどの、ある決められた瞬間を撮影する場合、おおまかな競技開始タイミング（例えば、ある演技者の演技開始時刻）がわかって撮影に備えることはできるものの、競技プログラム内の詳細な撮影タイミングまでは分からない。演劇なども同様である。このため、うっかりしていて肝心な撮影タイミングを逃してしまう場合がある。また、撮影タイミング以前から連写を続けることで、肝心な撮影タイミング時にはメモリバッファがいっぱいで撮影できないといったことが発生する場合もある。すなわち、特許文献１，２に記載される技術によっても依然として、本来撮影したかった撮影タイミングを逃してしまう状況を回避できない。
【０００６】
また、スケジュールやプログラムの急な変更が発生した場合は、撮影者がその変更に対応できないことが多く、事前準備が整わずに適切なタイミングでの撮影を見逃すことになる。
【０００７】
本発明では、競技や演劇の進行に付随する情報を参照し、所望の撮影タイミングをリアルタイムにユーザに通知する撮像支援装置、撮像装置、通信端末及び撮像支援制御方法を提示することを目的とする。
【課題を解決するための手段】
【０００８】
上記目的を達成するために、本発明に係る撮像支援装置は、所定のスケジュールに基づき実行される上演に含まれる１以上の撮影タイミングでの撮影を支援する撮像支援装置であって、前記上演の際の音声を入力する音声入力手段と、前記上演の伴奏音声データを含む参照データを外部から取得する通信手段と、前記音声入力手段により入力される音声を前記伴奏音声データと比較する比較手段と、前記比較手段の比較結果に従い、前記上演の進行度及び前記１以上の撮影タイミングを時間軸上に示すタイムスケジュールを表示する表示手段とを有することを特徴とする。
【発明の効果】
【０００９】
本発明によれば、上演プログラム内の撮影タイミングを逃さず撮影が可能となる。参照データを適宜に更新することで、競技や上演のスケジュールの急な変更にも容易に対応できるようになる。
【図面の簡単な説明】
【００１０】
【図１】本発明の一実施例の概略構成ブロック図である。
【図２】本実施例の音声比較に関する部分の概略構成ブロック図である。
【図３】本実施例の音声比較の動作フローチャートである。
【図４】撮影対象を指定する画面例である。
【図５】フィギュアスケートを撮影する際の画面例である。
【図６】タイムスケジュールの変化例である。
【発明を実施するための形態】
【００１１】
以下、図面を参照して、本発明の実施例を詳細に説明する。
【実施例１】
【００１２】
図１は、本発明に係る撮像支援装置及び撮像支援制御方法の一実施例を組み込んだ撮像装置の概略構成ブロック図を示す。図１に示す撮像装置１００は、静止画像と動画像のどちらも撮影可能である。
【００１３】
撮像装置１００は、撮影光学系による光学像を電気信号に変換する撮像素子１０２、音声入力手段としてのマイク１０３、及び、外部装置と通信する通信装置１０４を具備する。周辺装置制御／処理部１０９は、撮像素子１０２の出力画像信号、及びマイク１０３の出力音声信号を処理し、通信装置１０４を介して外部装置とデータ及び制御信号をやりとりする。周辺装置制御／処理部１０９は、撮像素子１０２からアナログ出力される画像信号をデジタル化するＡ／Ｄ変換器、及びＡ／Ｄ変換器の出力画像データを所定フォーマットに変換するカメラ信号処理部を具備する。
【００１４】
ＣＰＵ１１４は、ＲＯＭ１１１に格納されているプログラムに従い、撮像装置１００の全体を制御する。ＣＰＵ１１４は、及び周辺装置制御／処理部１０９が協働し、ＲＯＭ１１１に格納されているプログラムに従い、撮像素子１０２による入力画像信号及びマイク１０３による入力音声信号を処理する。ＣＰＵ１１４は、ＲＡＭ１１３を画像データ、音声データ及び外部データの一時記憶領域として使用する。周辺装置制御／処理部１０９、ＣＰＵ１１４、ＲＡＭ１１３及びＲＯＭ１１１はシステムバス１１２に接続する。周辺装置制御／処理部１０９及びＣＰＵ１１４は、システムバス１１２を介して相互に制御信号及びデータをやり取りでき、ＲＡＭ１１３及びＲＯＭ１１１にアクセスできる。
【００１５】
画像表示制御部１０７は、処理された画像データの画像を画像表示部１０６に表示させる。スピーカ１１０は、周辺装置制御／処理部１０９からの音声データを音出力する。記録媒体１０１には、静止画及び動画等の画像データ、音声データ並びに外部データを可能可能である。
【００１６】
ユーザは装置操作部１０８を用いて、周辺装置制御／処理部１０９に種々の指示を入力できる。
【００１７】
通信装置１０４は、外部装置と通信して種々のデータ及び制御信号を送受信する手段である。通信方式としては、特定エリア内でのみ通信可能なＬＡＮ（Ｌｏｃａｌ  Ａｒｅａ  Ｎｅｔｗｏｒｋ）のようなものでも、携帯電話などで利用している公衆回線のような、より広いエリアで通信可能なものでもよい。
【００１８】
図２は、周辺装置制御／処理部１０９に内蔵される音声処理系の概略構成ブロック図を示す。
【００１９】
アナログ信号処理部２０１は、低域通過フィルタ（ＬＰＦ）でマイク１０３の出力音声信号から可聴周波数範囲以外を除去した後、Ａ／Ｄ変換器でデジタル信号に変換し、得られた音声データをデジタル信号処理部２０２に供給する。通信装置１０４を介して外部から入力された参照データに含まれる参照音声データ２０３も、デジタル信号処理部２０２に入力される。参照音声データ２０３は、注目する上演プログラム中に伴奏として再生出力される音声（伴奏音声）またはその一部（先頭部分）である。デジタル信号処理部２０２は、アナログ信号処理部２０１からの音声データと参照音声データ２０３を比較する比較処理手段である。両音声データが実質的に一致することで、実際の上演が上演プログラムのどの時点まで進行しているかが分かる。詳細は後述するが、両音声データが実質的に一致する場合、デジタル信号処理部２０２またはＣＰＵ１１４は画像表示制御部１０７に、上演プログラム上での撮影タイミングと現在時刻等を示すマークを含むタイムスケジュール情報を出力する。画像表示制御部１０７は、デジタル信号処理部２０２またはＣＰＵ１１４からのタイムスケジュール情報に従い、上演プログラムの進行と撮影予定タイミングなどを示すタイムスケジュールを画像表示部１０６に被写体画像に重畳して表示する。デジタル信号処理部２０２での比較処理は、上演プログラムの進行位置を知るためであり、その限りにおいて、参照音声データ２０３は、注目する上演プログラムで再生される音声の一部でよい。
【００２０】
図３は、マイク１０３により入力される音声データと、参照音声データの比較の動作フローチャートを示す。図３に示す処理を実現するコンピュータプログラムがＲＯＭ１１１に記憶されており、ＣＰＵ１１４が、そのコンピュータプログラムをＲＡＭ１１３に読み込み、実行することで、図３に示す処理を実現する。
【００２１】
Ｓ３００で、ＣＰＵ１１４は、外部装置から参照データとしてスケジュール／プログラム情報を通信装置１０４及び周辺装置制御／処理部１０９を介して、受信し、ＲＡＭ１１３に一時記憶する。ＣＰＵ１１４は、ＲＡＭ１１３の受信したスケジュール／プログラム情報を、周辺装置制御／処理部１０９のデジタル信号処理部２０２に供給する。デジタル信号処理部２０２は、入力したスケジュール／プログラム情報を参照用に記憶する。プログラム情報は、上演プログラムの開始から終了までに要する時間、撮影タイミング、及び上演プログラムで使用する楽曲情報（特に、伴奏音声データ）を含む。スケジュール／プログラム情報は例えば、フィギュアスケートの演目で再生される音楽データのうち、撮影タイミングを撮影者に指示するのに適した部分を含む。
【００２２】
Ｓ３０１で、ＣＰＵ１１４は、マイク１０３による周辺音声データの取り込みを開始する。ここでは、撮影しようとする被写体の演目で再生される伴奏音声を取り込むことになる。マイク１０３の出力音声信号はアナログ信号処理部２０１を介してデジタル信号処理部２０２に入力される。デジタル信号処理部２０２は、マイク１０３により入力される伴奏音声データと、スケジュール／プログラム情報の参照音声データとを逐次比較する。デジタル信号処理部２０２は、比較結果を逐次、ＣＰＵ１１４と画像表示制御部１０７に供給する。
【００２３】
Ｓ３０２で、ＣＰＵ１１４は、デジタル信号処理部２０２による比較結果が、入力音声データと参照音声データとの一致を示すかどうかを判定する。一致を示すと、ＣＰＵ１１４は、Ｓ３０３に進み、不一致の場合、Ｓ３０２を再試行する。すなわち、ＣＰＵ１１４は、マイク１０３により入力される音声データが参照音声データと一致するまで待機する。一致を検出することで、注目する上演が開始時刻からのどの時点まで進行しているか、即ち、上演の進行度が分かり、従って、上演の進行に同期したタイムスケジュールを画像表示部１０６に表示することが可能になる。
【００２４】
Ｓ３０３で、ＣＰＵ１１４は、画像表示制御部１０７を制御して、画像表示部１０６に、上演プログラムのタイムスケジュールの表示を開始させる。タイムスケジュールは、実際の上演に時間同期した状態で表示される。タイムスケジュールの表示例は、図６を参照して、後述する。
【００２５】
Ｓ３０４で、ＣＰＵ１１４は、注目する上演プログラムが終了したかどうかを判断する。注目する上演プログラムが終了すると、ＣＰＵ１１４は、図３に示す処理を終了する。次の上演プログラムに対し、ＣＰＵ１１４は、図３に示す処理を再度、実行する。
【００２６】
図４は、撮影タイミングを演目種別で指定または選択する画面例を示す。外部情報（参照情報）として受信するスケジュール／プログラム情報には、事前に決められた撮影タイミング情報が含まれている。上演プログラムによって撮影タイミングは様々あるが、ここではフィギュアスケートの場合を例に説明する。フィギュアスケートの場合、主な演技構成として、ジャンプ、スピン及びステップがあり、概ね撮影タイミングはそのような演技の瞬間であることが多い。また、これらの演技は上演プログラムで使用される楽曲と同期しており、演技開始からの時間はほぼ決まっているといってよい。これらの情報は事前に把握可能であり、参照情報として収集可能である。ユーザは、主催者または出演者のサーバ等から取り込んだ上演プログラムのスケジュール情報から、これらの演技のタイミングを抽出し、撮影タイミングとしてスケジュール情報に付加する。このように決定し選択した撮影タイミングを画像表示部１０６に表示されるタイムスケジュールに表示することができる。ユーザは、図４に示すような選択画面上で事前に、どの演技種目を撮影対象とするかを選択する。撮影対象とする演技種目の変更は、上演プログラムの開始前でも途中でも変更可能である。
【００２７】
図５は、シャッタチャンス待ちの、画像表示部１０６の画面例を示す。画像表示部１０６の画面には、上演プログラムに従い演技中の被写体画像５０１に重ねて、この上演プログラムのタイムスケジュール５０２が表示される。被写体画像５０１は撮像素子１０２による撮像画像から電子ビューファインダ用に生成したものでもよい。また、光学ファインダに液晶ディスプレイまたは有機ＥＬ素子のような画像表示装置を重ねて表示する構成の場合、被写体画像５０１は、その光学ファインダによる光学画像であってもよい。
【００２８】
タイムスケジュール５０２では、左から右に進む時間軸５０３の対応する時間位置に、現在位置を示す現在位置指示子５０４と、それぞれ撮影タイミングを示す１以上の撮影予定指示子５０５が、表示される。現在位置指示子５０４及び撮影予定指示子５０５はそれぞれ所定形状のマークまたはアイコンとして実現される。現在位置指示子５０４は時間の経過に従い時間軸５０３上で更新される。現在位置指示子５０４の表示位置は、音声比較に要する時間を考慮して決定される。図５に示す例では、現在位置指示子５０４は縦線と時間進行方向を向いた矢印のマークとして図示される。撮影予定指示子５０５は、下向きの三角形状のマークとして図示されている。撮影予定指示子５０５は、例えば、フィギュアスケートの演目のジャンプ、スピンまたはステップの内の、図４に示す画面で選択された演技のタイミングを示す。図５では、タイムスケジュールを画像表示部１０６の画面下部に配置しているが、画面上部、画面右部または画面左部に配置しても良いことは勿論であり、更には、被写体画像５０１の表示域から外れた場所に配置しても良い。
【００２９】
マイク１０３による取得音声が参照音声と一致すると、現在位置指示子５０４（縦棒と矢印）が、時間軸５０３上の対応する時間位置に表示される。時間の経過により現在位置指示子５０４は、時間軸５０３に沿って右に移動する。撮影者は、現在位置指示子５０４の矢印の先頭が直後の撮影予定指示子５０５に接すると、被写体の現状から撮影タイミングを判断することになる。現在位置指示子５０４から直後の撮影予定指示子５０５までの時間（シャッタチャンスまでの残時間）を付加的に表示しても良い。
【００３０】
図６は、表示されるタイムスケジュール５０２の具体例を示す。
【００３１】
図６（ａ）は上演開始前の、上演プログラムのタイムスケジュール５０２の全体を表示する状態を示す。タイムスケジュール上には、図四で選択された撮影タイミングを示す複数の撮影予定指示子５０５が表示される。右端には、全体時間（ここでは、６分）６０１が表示される。
【００３２】
図６（ｂ）は、上演が開始され、周辺音声と参照音声の一致が検出された直後のタイムスケジュール５０２の、部分拡大表示の例を示す。この段階では、マイク１０３による取得音声と参照音声との比較により、タイムスケジュール５０２上での現在位置が判明する。このとき、ＣＰＵ１１４は、図６（ｂ）に示すように、現在位置指示子５０４を、タイムスケジュール５０２の時間軸５０３の対応する時間位置に重ねて表示する。細部が明確になるように、ＣＰＵ１１４はタイムスケジュール５０２の注目する時間分を拡大して表示し、時間軸の右端に拡大割合６０２を示す。ここでは３倍に時間軸を拡大しており、拡大割合６０２として、「１／３」の文字が付加的に表示される。また、直後の撮影予定指示子５０５の上部に、この撮影予定指示子５０５に到達するまでの時間（残時間）６０３が表示される。ここでは、残時間６０３として、「あと３０秒」と表示されている。図６（ｂ）に示す拡大表示と、図６（ａ）に示すような全体表示を切り替え可能としてもよい。
【００３３】
図６（ｃ）は、現在時刻が最初の撮影予定指示子５０５に重なり、２つの撮影予定指示子５０５が時間軸上に近接して位置する場合の、部分拡大表示の表示例を示す。図６（ｃ）に示す表示例では、図６（ｂ）に対して時間軸が２倍に縮小され、全体表示に対しては３／２倍の拡大表示になっている。時間軸の右端に拡大割合６０４（ここでは、「２／３」）が付加的に表示される。２つ目の撮影予定指示子５０５の上部に、この撮影予定指示子５０５に到達するまでの時間（残時間）６０５が表示される。ここでは、残時間６０５として、「あと４０秒」と表示されている。
【００３４】
図６（ｄ）は、上演プログラムの途中から最後までの時間軸を表す。右端の表示６０６（ここでは「３／３」）は、プログラム終端までの表示であることを示す。最後の撮影予定指示子５０５までの残時間６０７として、「あと２０秒」と表示されている。
【００３５】
参照情報は、例えば、以下に説明するような方法で外部装置から入手する。ユーザは、希望する上演プログラムの伴奏と、演目の内容とタイミング等を記述したスケジュール／プログラム情報を主催者または出演者等のサーバから取得し、撮像装置１００に送信する。取得したスケジュール／プログラム情報に撮影タイミング等を付加する必要がある場合、ユーザは、撮像装置１００への送信前に、これらを付加して、参照情報として使えるようにする。撮像装置が特定エリアに入ったら自動でサーバから必要な参照情報を取得するようにしてもよい。
【００３６】
注目する上演プログラムの進行程度を判定する音声比較を、撮像装置１００の外部にある処理装置で実行し、その比較結果を撮像装置１００に送信するようにしてもよい。すなわち、図２を参照して説明したデジタル信号処理部２０２の機能を、撮像装置１００の外部のサーバに担わせても良い。例えば、スマートフォンには、音声認識技術を利用し、音声により種々の操作を行える音声認識・制御システムが導入されているが、このシステムを本実施例の音声比較に利用し、比較結果を撮像装置が受信するようにする。
【実施例２】
【００３７】
実施例２では、上演プログラムの進行状況に同期してタイムスケジュールを表示するようにタイムスケジュール表示を制御する機能に更に、撮影タイミングの直前をユーザに通知する機能を追加している。
【００３８】
陸上競技及びモータースポーツを例に説明する。陸上競技で、例えばトラックを周回する中長距離走において競技全体で撮影タイミングを考えた場合、概ね最終周回及びゴールシーンが撮影タイミングとなることが多い。しかし、スタートからゴールまでに要する時間は数十秒単位でずれることもあり、競技開始時に同期を取れたとしても正確なゴール時間は予測しづらい。そこで、外部装置が最終周直前の周回時間をもとに撮影タイミングを決定し、撮像装置１００は、その撮影タイミング情報とともに、最終周にかかる地点を通過した時に撮影タイミング同期信号を外部装置から受信するようにした。撮像装置１００は、この撮影タイミング同期信号に従い、シャッタチャンスを音声または画面で撮影者に通知し、撮影者は、この通知を参考にシャッタ操作する。このような構成により、ゴールの瞬間までの残り時間を正確な撮影タイミングとしてユーザに通知することができる。
【００３９】
また、モータースポーツ等も同様に、競技開始時点ではゴールのタイミングは予測しづらい。最終周直前の周回時間から決められる撮影タイミング情報及び最終周にかかる地点を通過したタイミングを撮影タイミング同期信号を外部装置から撮像装置１００に送信し、撮像装置がシャッタチャンスをユーザに通知する。これにより、ゴールの瞬間までの残り時間を正確な撮影タイミングとして通知可能となる。
【００４０】
上記では、ゴールポイントを撮影タイミングとしているが、ゴールポイントに限らず、特定の撮影ポイントでも同様の通知が可能である。
【００４１】
以上ように、プログラムの途中であっても特定のポイントで撮影タイミング情報及び撮影タイミングの同期信号を外部情報として得るシステムとすることで、撮影タイミングをより正確に通知できる。
【００４２】
ＣＰＵ１１４の制御は１つのハードウェアが行ってもよいし、複数のハードウェアが処理を分担することで、装置全体の制御を行ってもよい。
【００４３】
ま本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４４】
また、上述した実施形態においては、本発明を単体の撮像装置、いわゆるデジタルカメラに適用した場合を例にして説明したが、これはこの例に限定されず、撮像手段及び音声入力手段を有する機器であれば適用可能である。すなわち、本発明は、撮像手段及び音声入力手段を有する、通信端末、情報処理装置またはパーソナルコンピュータ等にも適用可能である。
【００４５】
本発明の目的は、前述した実施例の機能を実現するソフトウェアのプログラムコードを記録した記憶媒体を装置に供給することによっても、達成される。このとき、供給された装置の制御部を含むコンピュータ（またはＣＰＵやＭＰＵ）は、記憶媒体に格納されたプログラムコードを読み出し実行する。記憶媒体から読み出されたプログラムコード自体が、上述の実施例の機能を実現することになり、プログラムコード自体及びそのプログラムコードを記憶した記憶媒体は、本発明を構成することになる。
【００４６】
プログラムコードを供給するための記憶媒体としては、例えば、磁気ディスク、ハードディスク、光ディスク、光磁気ディスク、ＣＤ−ＲＯＭ、ＣＤ−Ｒ、磁気テープ、不揮発性のメモリカード又はＲＯＭ等を用いることができる。
【００４７】
上述のプログラムコードの指示に基づき、装置上で稼動しているＯＳ（基本システムやオペレーティングシステム）などが処理の一部又は全部を行い、その処理によって前述した実施例の機能が実現される場合も含まれる。
【００４８】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４９】
以上、本発明の好ましい実施例を説明したが、本発明は、これらの実施例に限定されず、その要旨の範囲内で種々の変形及び変更が可能である。
【図１】
2019029942.tif 000003
【図２】
2019029942.tif 000004
【図３】
2019029942.tif 000005
【図４】
2019029942.tif 000006
【図５】
2019029942.tif 000007
【図６】
2019029942.tif 000008